(57)【要約】【課題】刈高さ解除制御で下降させ過ぎた前処理部を少しだけ上昇させるためにマルチステアリングレバーを上昇操作すると、刈高さ解除制御のためにトリガースイッチを操作していることで前処理部が自動上昇駆動してしまい、オペレータの想定を超えて前処理部が上昇するという課題があった。【解決手段】刈高さ解除制御手段（２１Ｃ）の作動中は、前処理操作検出手段（２２）による昇降操作レバー（１１）上昇操作を入力しても、自動昇降制御手段（２１Ａ）による前処理部（５）の自動上昇駆動を行わないように牽制した。【選択図】図８
2012196173.tif 000002
【特許請求の範囲】
【請求項１】
前処理部（５）を機体（１）に対して昇降駆動する昇降駆動手段（４）と、前記前処理部（５）の前記機体（１）に対する高さを検出する前処理高さ検出手段（２５）と、中立位置から前後操作可能な昇降操作レバー（１１）と、該昇降操作レバー（１１）の前後操作を検出する前処理操作検出手段（２２）と、該前処理操作検出手段（２２）からの入力に基づき前記昇降駆動手段（４）を駆動制御して前記前処理部（５）の昇降位置を変更する制御手段（２１）とを備えたコンバインの前処理昇降制御装置において、
前記前処理部（５）の刈高さ位置を任意に設定する刈高さ設定手段（１９）と、前記前処理部（５）へ自動昇降指令する自動昇降指令手段（２０）を設け、
前記制御手段（２１）は、前記前処理部（５）の位置が刈高さ設定手段（１９）により設定した設定刈高さ（Ｘ）より高い位置の時に、前記自動昇降指令手段（２０）の操作を入力しながら前記前処理操作検出手段（２２）による前記昇降操作レバー（１１）下降操作を入力すると、前記前処理高さ検出手段（２５）の入力に基づいて前記前処理部（５）が前記設定刈高さ（Ｘ）まで自動的に下降するように、前記昇降駆動手段（４）を前処理下降方向に駆動制御すると共に、
前記前処理部（５）の位置があらかじめ設定した設定上昇高さ（Ｂ）より低い位置の時に、前記自動昇降指令手段（２０）の操作を入力しながら前記前処理操作検出手段（２２）による前記昇降操作レバー（１１）上昇操作を入力すると、前記前処理高さ検出手段（２５）の入力に基づいて前記前処理部（５）が前記設定上昇高さ（Ｂ）まで自動的に上昇するように、前記昇降駆動手段（４）を前処理上昇方向に駆動制御する自動昇降制御手段（２１Ａ）を備え、
前記制御手段（２１）は、前記刈高さ設定手段（１９）と前記前処理高さ検出手段（２５）からの入力に基づき、前記前処理部（５）が前記設定刈高さ（Ｘ）より下降しないように前記昇降駆動手段（４）を制御する刈高さ位置制御手段（２１Ｂ）を備え、
前記刈高さ解除指令する刈高さ解除操作手段（２０）を備え、
前記制御手段（２１）は、前記前処理部（５）が前記刈高さ設定手段（１９）により設定した刈高さまで下降した時点で作動開始する前記刈高さ位置制御手段（２１Ｂ）の作動中に、前記刈高さ解除操作手段（２０）の操作を入力しながら前記前処理操作検出手段（２２）による前記昇降操作レバー（１１）下降操作を入力すると、一時的に前記刈高さ位置制御手段（２１Ｂ）を解除して前記設定刈高さ（Ｘ）より低い位置に前記前処理部（５）を下降制御可能にする刈高さ解除制御手段（２１Ｃ）を備え、
前記刈高さ解除制御手段（２１Ｃ）の作動を指令する前記刈高さ解除操作手段（２０）を、前記自動昇降指令手段（２０）で兼用構成し、
前記制御手段（２１）は、前記刈高さ解除制御手段（２１Ｃ）の作動中は、前記前処理操作検出手段（２２）による前記昇降操作レバー（１１）上昇操作を入力しても、前記自動昇降制御手段（２１Ａ）による前記前処理部（５）の自動上昇駆動を行わないように牽制したことを特徴とするコンバインの前処理昇降制御装置。
【発明の詳細な説明】
【技術分野】
【０００１】
本発明は、昇降操作レバーの前後操作により前処理部を昇降駆動制御するコンバインに係る。
【背景技術】
【０００２】
従来、コンバインにおいて、マルチステアリングレバーに自動昇降指令するトリガースイッチを設け、刈高さ設定ダイヤルで設定した位置より前処理部が高い位置にいる場合、トリガースイッチの操作を入力しながらマルチステアリングレバー下降操作を入力すると、リフトポテンショの入力に基づいて前処理部が刈高さ設定ダイヤルにより設定した高さまで自動的に下降すると共に、あらかじめ設定した設定高さより前処理部が低い位置にいる場合、トリガースイッチの操作を入力しながらマルチステアリングレバー上昇操作を入力すると、リフトポテンショの入力に基づいて前処理部が設定高さまで自動的に上昇する自動昇降制御を備えたコンバインが案出されている（特許文献１参照）。
【０００３】
特許文献１のコンバインは、自動昇降制御に加え、刈高さ設定ダイヤルとリフトポテンショからの入力に基づき前処理部が刈高さ設定ダイヤルにより設定した刈高さより下降しないようにする刈高さ制御を備えると共に、前処理部が刈高さ設定ダイヤルにより設定した刈高さまで下降した時点で作動開始する刈高さ制御の作動中に、トリガースイッチを操作しながらマルチステアリングレバーを下降操作すると、刈高さ制御を解除して刈高さ設定ダイヤルで設定した高さより低い位置に前処理部を下降制御可能にするする刈高さ解除制御を備えている。
【先行技術文献】
【特許文献】
【０００４】
【特許文献１】特開２０１０−２３３５２７号公報
【発明の概要】
【発明が解決しようとする課題】
【０００５】
しかしながら、上記特許文献１記載のものは、トリガースイッチを操作しながらマルチステアリングレバーを下降操作して刈高さ制御を解除している最中も自動上昇制御が可能であったため、刈高さ解除制御で下降させ過ぎた前処理部を少しだけ上昇させるためにマルチステアリングレバーを上昇操作すると、刈高さ解除制御のためにトリガースイッチを操作していることで前処理部が自動上昇駆動してしまい、オペレータの想定を超えて前処理部が上昇するという課題があった。
【課題を解決するための手段】
【０００６】
請求項１に係る発明は、前処理部（５）を機体（１）に対して昇降駆動する昇降駆動手段（４）と、前記前処理部（５）の前記機体（１）に対する高さを検出する前処理高さ検出手段（２５）と、中立位置から前後操作可能な昇降操作レバー（１１）と、該昇降操作レバー（１１）の前後操作を検出する前処理操作検出手段（２２）と、該前処理操作検出手段（２２）からの入力に基づき前記昇降駆動手段（４）を駆動制御して前記前処理部（５）の昇降位置を変更する制御手段（２１）とを備えたコンバインの前処理昇降制御装置において、前記前処理部（５）の刈高さ位置を任意に設定する刈高さ設定手段（１９）と、前記前処理部（５）へ自動昇降指令する自動昇降指令手段（２０）を設け、前記制御手段（２１）は、前記前処理部（５）の位置が刈高さ設定手段（１９）により設定した設定刈高さ（Ｃ）より高い位置の時に、前記自動昇降指令手段（２０）の操作を入力しながら前記前処理操作検出手段（２２）による前記昇降操作レバー（１１）下降操作を入力すると、前記前処理高さ検出手段（２５）の入力に基づいて前記前処理部（５）が前記設定刈高さ（Ｃ）まで自動的に下降するように、前記昇降駆動手段（４）を前処理下降方向に駆動制御すると共に、前記前処理部（５）の位置があらかじめ設定した設定上昇高さ（Ｂ）より低い位置の時に、前記自動昇降指令手段（２０）の操作を入力しながら前記前処理操作検出手段（２２）による前記昇降操作レバー（１１）上昇操作を入力すると、前記前処理高さ検出手段（２５）の入力に基づいて前記前処理部（５）が前記設定上昇高さ（Ｂ）まで自動的に上昇するように、前記昇降駆動手段（４）を前処理上昇方向に駆動制御する自動昇降制御手段（２１Ａ）を備え、前記制御手段（２１）は、前記刈高さ設定手段（１９）と前記前処理高さ検出手段（２５）からの入力に基づき、前記前処理部（５）が前記設定刈高さ（Ｃ）より下降しないように前記昇降駆動手段（４）を制御する刈高さ位置制御手段（２１Ｂ）を備え、前記刈高さ解除指令する刈高さ解除操作手段（２０）を備え、前記制御手段（２１）は、前記前処理部（５）が前記刈高さ設定手段（１９）により設定した刈高さまで下降した時点で作動開始する前記刈高さ位置制御手段（２１Ｂ）の作動中に、前記刈高さ解除操作手段（２０）の操作を入力しながら前記前処理操作検出手段（２２）による前記昇降操作レバー（１１）下降操作を入力すると、一時的に前記刈高さ位置制御手段（２１Ｂ）を解除して前記設定刈高さ（Ｃ）より低い位置に前記前処理部（５）を下降制御可能にする刈高さ解除制御手段（２１Ｃ）を備え、前記刈高さ解除制御手段（２１Ｃ）の作動を指令する前記刈高さ解除操作手段（２０）を、前記自動昇降指令手段（２０）で兼用構成し、前記制御手段（２１）は、前記刈高さ解除制御手段（２１Ｃ）の作動中は、前記前処理操作検出手段（２２）による前記昇降操作レバー（１１）上昇操作を入力しても、前記自動昇降制御手段（２１Ａ）による前記前処理部（５）の自動上昇駆動を行わないように牽制したことを特徴とする。
【発明の効果】
【０００７】
請求項１に係る発明によると、前記刈高さ解除制御手段の作動中は、前記前処理操作検出手段による前記昇降操作レバー上昇操作を入力しても、前記自動昇降制御手段による前記前処理部の自動上昇駆動を行わないように牽制したので、オペレータが意図しない前記前処理部の自動上昇駆動を防止すると共に、前記制御手段はオペレータが意図した前処理昇降駆動を適切且つ自動的に選択することができ、操作性が著しく向上することになる。
【図面の簡単な説明】
【０００８】
【図１】コンバインの右側面図。
【図２】コンバインの運転部平面図。
【図３】マルチステアリングレバー周辺斜視図。
【図４】刈高さ設定ダイヤル周辺平面図。
【図５】制御ブロック図。
【図６】前処理昇降制御メインルーチンのフローチャート図。
【図７】自動昇降制御サブルーチンのフローチャート図。
【図８】刈高さ位置制御サブルーチンのフローチャート図。
【図９】前処理部の昇降位置説明図。
【発明を実施するための形態】
【０００９】
以下に、図面に基づいて本発明の実施形態に係るコンバインについて説明をする。なお、説明中の方向は作業者が機体に着座した状態を基準として考えるものとする。
【００１０】
［コンバインの概要］
図１はコンバインの右側面図であり、コンバイン（機体）１は、左右一対のクローラ走行装置２に支持された機体３を有していると共に、機体３の前方には前処理リフトシリンダ（昇降駆動手段）４を介して前処理部５が昇降自在に設けられている。前処理部５の右後方には作業者が運転操作を行う運転部６が設けられている。
【００１１】
［運転部の概要］
図２はコンバインの運転部平面図であり、エンジンルーム８の上方に設けた運転シート９の前方にはフロントパネル１０が設けられている。フロントパネル１０の右上部にはマルチステアリングレバー（昇降操作レバー）１１が備えてあり、マルチステアリングレバー１１を中立位置から左方向に操作することによりコンバイン１を左方向に旋回させると共に、右方向に操作することによりコンバイン１を右方向に旋回させることができる。また、マルチステアリングレバー１１を前方向に操作することにより前処理部５を下降駆動させると共に、後方向に操作することにより前処理部５を上昇駆動させることができる。
【００１２】
また、フロントパネル１０の左端から後方で運転シート９の左側方にわたってサイドパネル１３が設けられている。サイドパネル１３上の前方には走行速度を無段階に変速操作する主変速レバー１５が備えてあり、主変速レバー１５を中立位置から前方に操作することによりコンバイン１を前進させると共に、後方に操作することによりコンバイン１を後進させることができる。また、主変速レバー１５の左側方には副変速レバー１６が備えてあり、副変速レバー１６を前方に操作することにより高速（路上）走行位置に変速すると共に、後方に操作することにより低速（作業）走行位置に変速する。また、副変速レバー１６を低速走行位置から左方向に操作することにより、低速走行位置のままで逆転旋回モードに切り替えることができる。また、主変速レバー１５の後方には脱こくクラッチ及び刈取クラッチを断接操作するパワークラッチスイッチ（脱こく・刈取クラッチ操作手段）１７を備えている。また、副変速レバー１６の前方には後述する刈高さ設定ダイヤル（刈高さ設定手段）１９を備えている。
【００１３】
［パワークラッチの作用］
パワークラッチスイッチ１７はシーソ式のスイッチで構成していて、脱こくクラッチ及び刈取クラッチが両方とも切断している状態でパワークラッチスイッチ１７の左側を１回押すと脱こくクラッチのみ接続し、この状態で左側をもう１回押すと脱こくクラッチの接続を維持した状態で刈取クラッチが接続する。
また、脱こくクラッチ及び刈取クラッチが両方とも接続している状態でパワークラッチスイッチ１７の右側を１回押すと刈取クラッチのみ切断し、この状態で右側をもう１回押すと脱こくクラッチを切断する。
【００１４】
［マルチステアリングレバーの概要］
図３は運転部のマルチステアリングレバー右前斜視図であり、マルチステアリングレバー１１の前面側には前処理部５を自動昇降操作するトリガースイッチ（自動昇降指令手段、刈高さ解除操作手段）２０を備えている。
【００１５】
［刈高さ設定ダイヤルの概要］
図４は刈高さ設定ダイヤル周辺平面図であり、刈高さ設定ダイヤル１９は刈高さ位置制御の設定刈高さを調節するものであり、刈高さ設定ダイヤル１９を左端まで回すと刈高さ制御が切りになる。
【００１６】
［制御装置の構成］
図５は制御ブロック図であり、制御装置を構成するマイコン（制御手段）２１内には、自動昇降制御手段２１Ａ、刈高さ位置制御手段２１Ｂ、刈高さ解除制御手段２１Ｃを備えている。
また、マイコン２１の入力側には、パワークラッチスイッチ１７、刈高さ設定ダイヤル１９、トリガースイッチ２０の他に、マルチステアリングレバー１１の前後操作量（角度）を検出する前処理操作ポテンショ（前処理操作検出手段）２２、前処理部５の機体１に対する高さを検出するリフトポテンショ（前処理高さ検出手段）２５を接続している。
また、マイコン２１の出力側には、前処理部５を昇降駆動する油圧シリンダを駆動する前処理上昇・下降比例弁２７Ｕ，２７Ｄを接続している。
【００１７】
［前処理部昇降制御］
次に、本実施の形態に係るコンバインの作用について説明をする。
図６は前処理昇降制御メインルーチンのフローチャート図である。
まず、Ｓ１では自動昇降制御サブルーチンを経由してＳ２に進む。
次に、Ｓ２で自動昇降フラグの状態を判断して、自動昇降フラグがＯＮであれば次に進み、ＯＦＦであればＳ３に進む。
次に、Ｓ３で刈高さ位置制御動作条件を判断して、ＯＫ（条件が揃っている）であればＳ４の刈高さ位置制御サブルーチンを経由してＳ５に進み、ＮＧ（条件が揃っていない）であればＳ６で刈高さ位置フラグをＯＦＦに設定してＳ７の前処理手動制御サブルーチン（詳細は省略）を経由して次に進む。
なお、Ｓ３の刈高さ位置制御動作条件は、「刈高さ設定ダイヤル１９が切り位置以外」，「脱こくクラッチ接続」，「マルチステアリングレバー１１の前処理部５下降操作中」，「リフトポテンショ２５検出値が刈高さ設定ダイヤル１９で設定した設定刈高さと同一又は低い」の４つであり、全ての条件が揃った時に刈高さ位置制御動作条件ＯＫとなるが、一例であり、他の条件の組み合わせでもよい。
【００１８】
［自動昇降制御］
図７は自動昇降制御サブルーチンのフローチャート図である。
まず、Ｓ１１でトリガースイッチ２０の状態を判断して、ＯＮであればＳ１２に進み、ＯＦＦであればＳ１３で自動昇降禁止フラグをＯＦＦに設定してＳ１２に進む。
次に、Ｓ１２で自動昇降禁止フラグの状態を判断して、ＯＮであれば自動昇降制御サブルーチンを抜けて前処理昇降制御メインルーチンに戻り、ＯＦＦであればＳ１４に進む。
次に、Ｓ１４で自動昇降フラグがＯＮであればＳ１５に進み、ＯＦＦであればＳ１６に進む。
次に、Ｓ１６で自動昇降開始条件を判断して、ＯＫ（条件が揃っている）であればＳ１７で自動昇降フラグをＯＮに設定してＳ１５に進み、ＮＧ（条件が揃っていない）であれば自動昇降制御サブルーチンを抜けて前処理昇降制御メインルーチンに戻る。
次に、Ｓ１５で自動昇降停止条件を判断して、ＯＫ（条件が揃っている）であればＳ１８で自動昇降フラグをＯＦＦに設定して自動昇降制御サブルーチンを抜けて前処理昇降制御メインルーチンに戻り、ＮＧ（条件が揃っていない）であればＳ１９の自動昇降出力制御サブルーチンを経由して前処理昇降制御メインルーチンに戻る。
なお、Ｓ１６の自動昇降開始条件は、「刈高さ設定ダイヤル１９が切り位置以外」，「刈取クラッチ接続」，「マルチステアリングレバー１１が昇降操作後に中立位置復帰」の３つであり、全ての条件が揃った時に自動昇降開始条件ＯＫとなるが、一例であり、他の条件の組み合わせでもよい。
また、Ｓ１５の自動昇降停止条件は、「自動昇降目標位置到達」，「前処理５の駆動方向とは反対方向へのマルチステアリングレバー１１操作」の２つであり、全ての条件が揃った時に自動昇降停止条件ＯＫとなるが、一例であり、他の条件の組み合わせでもよい。
【００１９】
［刈高さ位置制御］
図８は刈高さ位置制御サブルーチンのフローチャート図である。
まず、Ｓ２１で自動昇降禁止フラグの状態を判断して、ＯＮであればＳ２２に進み、ＯＦＦであればＳ２３に進む。
次に、Ｓ２３で前処理下降操作が行われているかを判断して、下降操作中であればＹＥＳと判断してＳ２２に進み、下降操作中でないと判断した場合はＳ２４に進む。
次に、Ｓ２２でリフトポテンショ２５の入力から前処理部５の刈高さ位置を判断して、刈高さ位置が目標より低いと判断した場合はＳ２５で刈高さ位置フラグをＯＮに設定してＳ２６に進み、それ以外（刈高さ位置が目標と同一もしくは高い）と判断すればＳ２７で刈高さ位置フラグをＯＦＦに設定してＳ２４に進む。
次に、Ｓ２４で刈高さ位置フラグの状態を判断して、ＯＮであればＳ２７の刈高さ位置動作制御サブルーチン（詳細は省略）を経由して刈高さ位置制御サブルーチンを抜けて前処理昇降制御メインルーチンに戻り、ＯＦＦであれば刈高さ位置制御サブルーチンを抜けて前処理昇降制御メインルーチンに戻る。
次に、Ｓ２６でトリガースイッチ２０の状態を判断して、ＯＮであればＳ２８で刈高さ解除制御サブルーチン（詳細は省略）を経由してＳ２９で自動昇降禁止フラグをＯＮに設定して刈高さ位置制御サブルーチンを抜けて前処理昇降制御メインルーチンに戻り、ＯＦＦであればＳ２４に進む。
【００２０】
［前処理部位置における昇降駆動作用］
図９は、前処理部の昇降位置説明図であり、Ａは前処理上限位置、Ｂは刈取駆動停止位置（設定上昇高さ）、Ｃは刈高さ設定ダイヤル１９で設定できる刈高さ位置制御設定可能範囲、Ｄは前処理下限位置、Ｘは刈高さ設定ダイヤル１９で設定した設定刈高さである。
【００２１】
まず、コンバイン１が前進走行中且つ刈取クラッチ接続状態で前処理部５が前処理上限位置Ａに位置する状態から、マルチステアリングレバー１１の前処理部下降操作により前処理部５が刈取駆動停止位置Ｂに下降した時には、前処理部５が駆動を開始する。
次に、前処理部５が刈取駆動停止位置Ｂに位置する状態から、マルチステアリングレバー１１の前処理部下降操作により前処理部５が刈高さ位置制御設定可能範囲Ｃの刈高さ設定ダイヤル１９で設定した設定刈高さＸに下降した時には、刈高さ位置制御手段２１Ｂが起動して前処理部５の下降駆動が自動的に停止する。この状態でマルチステアリングレバー１１を更に前処理部下降操作しても、前処理部５は下降駆動しないと共に、刈高さ設定ダイヤル１９を手動調節指示すると、指示された設定刈高さＸに前処理部５が昇降駆動する。
次に、前処理部５が刈高さ位置制御設定可能範囲Ｃの設定刈高さＸにある状態から、トリガースイッチ２０を操作しながらマルチステアリングレバー１１を前処理下降操作した時には、刈高さ解除制御手段２１Ｃが起動して前処理部５は設定刈高さＸより下方の範囲で前処理下限位置Ｄまで下降駆動できる。この状態でトリガースイッチ２０の操作をやめると、刈高さ解除制御手段２１Ｃが終了して刈高さ位置制御手段２１Ｂが再起動することにより、前処理部５は設定刈高さＸに自動復帰すると共に、前処理部５の刈高さが設定刈高さＸ以上になると、刈高さ位置制御手段２１Ｂが終了する。
【００２２】
また、前処理部５が刈高さ位置制御設定可能範囲Ｃの設定刈高さＸより上方位置にいる時に、トリガースイッチ２０を操作しながらマルチステアリングレバー１１を前処理下降操作した後、トリガースイッチ２０やマルチステアリングレバー１１から手を離すと、自動昇降制御手段２１Ａが起動して設定刈高さＸまで前処理部５が自動的に下降駆動する。
また、前処理部５が刈取駆動停止位置Ｂより下方位置にいる時に、トリガースイッチ２０を操作しながらマルチステアリングレバー１１を前処理上昇操作した後、トリガースイッチ２０やマルチステアリングレバー１１から手を離すと、自動昇降制御手段２１Ａが起動して刈取駆動停止位置Ｂまで前処理部５が自動的に上昇駆動すると共に、前処理部５が刈取駆動停止位置Ｂに到達すると、自動的に前処理部５の上昇駆動を停止すると共に前処理部５の駆動も停止する。
【００２３】
なお、刈取駆動停止位置Ｂは、メモリバックアップ作業により任意の高さ位置を設定できるが、詳細は省略する。
また、刈取駆動停止位置Ｂを前処理上限位置Ａと同じ高さ位置に設定することも可能である。
【００２４】
［前処理部昇降制御の作用効果］
つまり、前処理部５の昇降制御は基本的にマルチステアリングレバー１１による手動操作を優先しているが、刈高さ位置制御手段２１Ｂが起動している時には、前処理部５の高さが刈高さ設定ダイヤル１９で設定している設定刈高さＸと同一又は低くなった時点で、刈高さ位置制御に突入して前処理部５のそれ以上の下降駆動を規制することで、誤操作による前処理部５先端部の圃場への突っ込みを防止している。
さらに、刈高さ位置制御手段２１Ｂが起動している状態においても、トリガースイッチ２０を操作しながらマルチステアリングレバー１１を前処理下降操作することにより、一時的に前処理部５の下降規制を解除する刈高さ解除制御手段２１Ｃが起動する。例えば湿田圃場でのヘッドアップ時でも機械的な下降限界まで前処理部５を下降操作して、適正な刈高さ位置で刈取り作業を続行することができる。
ここで、刈高さ解除制御手段２１Ｃ起動中にトリガースイッチ２０の操作をやめると、刈高さ解除制御手段２１Ｃが終了して刈高さ位置制御手段２１Ｂが再起動する。
また、刈高さ解除制御手段２１Ｃ起動中に前処理部５の刈高さが設定刈高さＸ以上になると、刈高さ位置制御手段２１Ｂが終了する。
【００２５】
さらに、トリガースイッチ２０を操作しながらマルチステアリングレバー１１を前処理下降操作した後、トリガースイッチ２０やマルチステアリングレバー１１から手を離すと自動昇降制御手段２１Ａが起動するので、マルチステアリングレバー１１の前処理下降操作を継続しなくとも前処理部５が自動的に下降駆動を続け、あらかじめ刈高さ設定ダイヤル１９で設定した設定刈高さＸに前処理部５が位置すると自動的に前処理部５の下降駆動を停止するものである。
また、トリガースイッチ２０を操作しながらマルチステアリングレバー１１を前処理上昇操作した後、トリガースイッチ２０やマルチステアリングレバー１１から手を離すと自動上昇制御が起動するので、マルチステアリングレバー１１の前処理上昇操作を継続しなくとも前処理部５が自動的に上昇駆動を続け、あらかじめ設定された刈取駆動停止位置Ｂに到達すると、自動的に前処理部５の上昇駆動を停止すると共に前処理部５の駆動も停止する。
よって、刈り始めに自動下降制御をすることで条合わせ操作に集中することができると共に、刈り終わりに自動上昇制御をすることで刈取搬送伝動が停止する位置まで前処理部５が自動的に上昇するので、動力負荷の高い旋回駆動時にもエンジンの回転が必要以上に低下することなくスムーズに旋回でき、しかも機械的な上昇限界位置まで上昇するのではなく、必要最低限の上昇位置で停止しているので次工程の刈り始めも素早く作業に入ることが可能になる。
【００２６】
しかも、刈高さ解除制御手段２１Ｃが起動している状態では、自動昇降制御手段２１Ａを起動しないように牽制しているので、刈高さ解除制御中にトリガースイッチ２０を操作した状態でマルチステアリングレバー１１を上昇操作しても自動上昇制御することはなく、オペレータが意図しない前処理部５の昇降駆動を防止すると共に、マイコン２１はオペレータが意図した駆動を適切且つ自動的に選択することができ、操作性が著しく向上することになる。
【符号の説明】
【００２７】
１      コンバイン（機体）
４      前処理リフトシリンダ（昇降駆動手段）
５      前処理部
１１    マルチステアリングレバー（昇降操作レバー）
１９    刈高さ設定ダイヤル（刈高さ設定手段）
２０    トリガースイッチ（自動昇降指令手段、刈高さ解除操作手段）
２１    マイコン（制御手段）
２１Ａ  自動昇降制御手段
２１Ｂ  刈高さ制御位置手段
２１Ｃ  刈高さ解除制御手段
２２    前処理操作ポテンショ（前処理操作検出手段）
２５    リフトポテンショ（前処理高さ検出手段）
Ｂ      刈取駆動停止位置（設定上昇高さ）
Ｘ      設定刈高さ
【図１】
2012196173.tif 000003
【図２】
2012196173.tif 000004
【図３】
2012196173.tif 000005
【図４】
2012196173.tif 000006
【図５】
2012196173.tif 000007
【図６】
2012196173.tif 000008
【図７】
2012196173.tif 000009
【図８】
2012196173.tif 000010
【図９】
2012196173.tif 000011